(57)【要約】      （修正有）【課題】小型で溶接加工を要することなく合わせ部の補強が可能なリセプタクル型コンタクト。【解決手段】前部に相手方コンタクトに接続するためのリセプタクル部１０と、後部に電線に接続するための導体接続部２０とを備える軸状に延びるリセプタクル型コンタクト１であって、リセプタクル部１０と導体接続部２０との間に、軸方向に直交する上方向に左右側壁から延びる立上がり壁によって囲われた固定部３０を備え、固定部３０の周囲が保持部材５０によって補強されている。【選択図】図１
2017033793.tif 000002
【特許請求の範囲】
【請求項１】
前部に相手方コンタクトに接続するためのリセプタクル部と、後部に電線に接続するための導体接続部とを備える軸状に延びるリセプタクル型コンタクトであって、
前記リセプタクル部と前記導体接続部との間に、前記軸方向に直交する上方向に左右側壁から延びる立上がり壁によって囲われた固定部を備え、
前記固定部は周囲が保持部材によって補強されているところに特徴を有するリセプタクル型コンタクト。
【発明の詳細な説明】
【技術分野】
【０００１】
本発明は、固定部を備えたリセプタクル型コンタクトに関する。
【背景技術】
【０００２】
従来からある技術として、特許文献１記載の技術が知られている。リセプタクル型コンタクトの外周に別体のボックス状の外部ばね部材を装着することにより、リセプタクル型コンタクトの内部を保護すると共にコネクタハウジングのコンタクト受容通路内に固定するロック用ランスを形成することが可能である。また、接触アームを他の物体から保護すると共に相手コンタクトを円滑に案内することが可能である。
しかし、ボックス用ばね部材によるリセプタクル型コンタクトの内部保護が必要であり、これによりコンタクトの形状が大きくなる。さらに、ボックス用ばね部材をリセプタクル型コンタクトに組立てする場合に、溶接等の接続工程が必要になる。
【先行技術文献】
【特許文献】
【０００３】
【特許文献１】特開Ｈ７−３０７１８０号公報
【発明の概要】
【発明が解決しようとする課題】
【０００４】
本発明は、上記した問題点に鑑みてなされたものであり、小型化が可能で、また溶接加工が不要で、合わせ部の補強が可能なリセプタクル型コンタクトを提供することを目的とする。
【課題を解決するための手段】
【０００５】
本発明に係るリセプタクル型コンタクトは、（１）前部に相手方コンタクトに接続するためのリセプタクル部と、後部に電線に接続するための導体接続部とを備える軸状に延びるリセプタクル型コンタクトであって、前記リセプタクル部と前記導体接続部との間に、前記軸方向に直交する上方向に左右側壁から延びる立上がり壁によって囲われた固定部を備え、前記固定部が周囲を保持部材によって補強されているところに特徴を有するものである。
【０００６】
この発明によれば、リセプタクルの後方に係止構造によって係止される固定部が備わるので、小型化ができ、また溶接加工がいらない、合わせ部の補強ができるリセプタクル型コンタクトが得られる。
【０００７】
また、この発明によれば、固定部の係止を補強する保持部材が備わるので、合わせ部の補強が強化されたリセプタクル型コンタクトが得られる。
【図面の簡単な説明】
【０００８】
【図１】図１は、本発明の実施形態に係るリセプタクル型コンタクトの外観斜視図である。
【図２】図２は、同リセプタクル型コンタクトの後方から見た背面図である。
【図３】図３は、同リセプタクル型コンタクトから保持部材を分解表示した外観斜視図である。
【図４】図４は、同リセプタクル型コンタクトの固定部の係止前の状態を示す外観斜視図である。
【図５】図５は、同リセプタクル型コンタクトの保持部材の外観斜視図である。
【図６】図６は、同リセプタクル型コンタクトが電線に接続された状態を示す外観斜視図である。
【発明を実施するための形態】
【０００９】
本発明の実施形態について図面にしたがって説明する。図１は、本発明の実施形態に係るリセプタクル型コンタクトの外観斜視図である。図２は、同リセプタクル型コンタクトの後方から見た背面図である。図３は、同リセプタクル型コンタクトから保持部材を分解表示した外観斜視図である。図４は、同リセプタクル型コンタクトの固定部の係止前の状態を示す外観斜視図である。図５は、同リセプタクル型コンタクトの保持部材の外観斜視図である。図６は、同リセプタクル型コンタクトが電線に接続された状態を示す外観斜視図である。なお説明中の指示方向は、図中の方向定義に従う。
【００１０】
〈リセプタクル型コンタクト〉
図１は、本発明の実施形態に係るリセプタクル型コンタクトの外観斜視図である。
本実施形態に係るリセプタクル型コンタクト１、図１に示されるように、保持部材１０を備えている。
【００１１】
リセプタクル型コンタクト１は、底壁および側壁の一部を共通にして軸方向の前方に、リセプタクル部１０と、後方に導体接続部２０と、その間に固定部３０とを備えており、プレス加工により形成される。リセプタクル型コンタクト１は、気的特性と耐腐食性を考慮して、銀めっき、あるいは金めっきで表面が処理されている。
【００１２】
リセプタクル部１０は、図１に示されるように、底壁２と側壁３を介して固定部３０と一体化されており、円筒形状にて形成されており、図示しない相手側コンタクトを内部に受け入れて電気的接続を担う。
【００１３】
保持部材５０は、図１に示されるように、本体５００部から延出されたストッパー５１０とランス５２０およびガイド５３０にて形成されている。
【００１４】
固定部は、図１に示されるように、底壁、側壁、および側壁の所定範囲の縁部から上方へ延びる固定壁によって形成され、固定壁の上端部は、保持部材で周囲が囲われている。
【００１５】
導体接続部２０は、図１、図２に示されるように、略Ｕ字形状に形成され内部に電線の導体を受け入れて、圧着加工により電線とリセプタクル型コンタクトと電気的接続を担う。
【００１６】
リセプタクル型コンタクト１に装着される保持部材５０は、図１、図２に示されるように、電線押部５４０を備えている。
【００１７】
図３は、同リセプタクル型コンタクトから保持部材を分解表示した外観斜視図である。保持部材５０は、図３に示されるように、本体５００より延出されたストッパー５１０とガイド５３０とを備えている。保持部材５０は、組みあがった状態のリセプタクル型コンタクトの固定部に上方から嵌め込まれ、嵌め込まれた状態で固定部の形状を保持する。
【００１８】
保持部材５０は、図３に示されるように、本体５００より延出されたストッパー５１０とガイド５３０により、リセプタクル型コンタクト１の固定部３０に保持される。
【００１９】
図４は、同リセプタクル型コンタクトの固定部の曲げ加工前の状態を示す外観斜視図である。リセプタクル型コンタクト１は、図４に示されるように、固定壁３００の曲げ加工により、断面矩形の固定部が形成される。
【００２０】
固定部は、図４に示されるように、左側壁の縁部に連なる左固定壁と、右側壁の縁部に連なる右固定壁との係止によって形成固定される。係止は、左固定部の係止凸部と右固定部の係止穴との嵌め合いによる。
【００２１】
図５は、同リセプタクル型コンタクトの保持部材の外観斜視図である。保持部材５０は、図５に示されるように、本体５００部から延出されたストッパー５１０、ランス５２０、ガイド５３０、および電線押さえ部５４０にて形成されている。
【００２２】
保持部材５０は、図５に示されるように、帯状の金属圧延材料がＣ字状に曲げ加工されたものである。保持部材５０は、本体側面にランスを備え、本体前面にガイド５３０を備える。また、本体後面の上縁にストッパー５１０を備え、下端には電線押さえ部５４０を備えている。なお電線押さえ部５４０については、小型省スペース化を目的とした場合、省略が可能である。
【００２３】
ランス５２０は、リセプタクル型コンタクトが図示しないハウジングに装着されたとき、対応するハウジングの正規装着位置でハウジングの所定の部分に係止する。
【００２４】
ストッパー５１０は、保持部材５０との正規装着位置に対して装着位置が下方向へ移動する事を防止する役割を有する。
【００２５】
ガイド５３０は、保持部材５０との正規装着位置に対して装着位置が前後方向へ移動する事を防止する役割を有する。また、ガイド５３０上部の切り起こし形状により、装着位置が上方向へ移動する事を防止する役割を有する。
【００２６】
電線押さえ部５４０は、保持部材が固定部に組み付けられた状態にあるとき、その下縁で導体の上面に当接し電線の位置を整える作用を備えている。
【００２７】
保持部材５０は、電気を流す機能を有しない為、防錆処理の省略が可能である。
また材質にステンレスを用いる事により、防錆処理の省略に加え、ハウジングに装着された時に、リセプタクルコンタクトのハウジングに対する、装着強度を向上させる事も可能である。
【００２８】
リセプタクル型コンタクトは、図６に示されるように、後方に位置する導体接続部で電線に接続する。電線の導体はＵ字状に受け口が広がる導体接続部の凹部にセットされ、圧着パンチで導体接続部に圧着され電気的機械的に接続される。電線６０の導体６５を受け入れて、電線６０とリセプタクル型コンタクト１と電気的接続を担う。
【００２９】
本発明は、本実施形態の構造、形状、あるいは材料に限定的に解釈されるものではない。発明の要旨を逸脱しない範囲で種々の変更が可能である。
【符号の説明】
【００３０】
１          リセプタクル型コンタクト
２          底壁
３          側壁
１０        リセプタクル部
２０        導体接続部
３０        固定部
３００      固定壁
３１０      係止凸部
３２０      係止穴
５０        保持部材
５００      本体
５１０      ストッパー
５２０      ランス
５３０      ガイド
５４０      電線押さえ部
６０        電線
６５        導体部
【図１】
2017033793.tif 000003
【図２】
2017033793.tif 000004
【図３】
2017033793.tif 000005
【図４】
2017033793.tif 000006
【図５】
2017033793.tif 000007
【図６】
2017033793.tif 000008